(57)【要約】      （修正有）【課題】伸縮調整ができて、各管間で起きる相対回転を防止できる園芸用伸縮竿を提供する。【解決手段】園芸用伸縮竿は、外側から内側へ順番に組み立てる外管１０、中管２０と内管３０を含み、外管１０と中管２０の間に第一切断部分４０が接合され、中管２０と内管３０の間に第二切断部分５０が接合される。該第一切断部分４０と第二切断部分５０の組み立てによって外管１０、中管２０と内管３０が常態下において相対的な回転が生じないように制限され、外管１０、中管２０と内管３０の伸縮調整が完成された後、第一切断部分４０と第二切断部分５０の操作によって、中管２０と内管３０が緊束定位される。【選択図】図２
0003210052.tif 000002
【実用新案登録請求の範囲】
【請求項１】
外側から内側へ順番に組み立てる外管、中管と内管を含む園芸用伸縮竿であって、上記外管と中管の間に第一切断部分が接合され、上記中管と内管の間に第二切断部分が接合され、上記第一切断部分と第二切断部分の組み立てによって上記外管、中管と内管が常態下において、相対的な回転が生じないように制限され、上記外管、中管と内管の伸縮調整が完成された後、該第一切断部分と第二切断部分の操作によって、上記中管と内管が緊束されて定位され、
ここで、上記外管、中管と内管は、それぞれ、第一端と第二端があり、また外周には上記第一端より上記第二端に向かって延伸する少なくとも一つの嵌め込み溝が凹設され、
上記第一切断部分には互いに連接するスリーブと束ねリングがあり、該スリーブの内管部と該束ねリングの内リング部が上記外管と中管の嵌め込み溝に対してそれぞれ少なくとも一つの第一リブと少なくとも一つの第二リブが設けられ、上記束ねリングの一側に切れ目が設けられ、該切れ目が形成した両端部の上にそれぞれ延伸凸部が突設され、また該両延伸凸部にはボルトによってレバーが枢接され、
上記第二切断部分には互いに連接するスリーブと束ねリングがあり、該スリーブの内管部と該束ねリングの内リング部が上記中管と内管の嵌め込み溝に対してそれぞれ少なくとも一つの第一リブと少なくとも一つの第二リブが設けられ、上記束ねリングの一側に切れ目が設けられ、該切れ目が形成した両端部の上にそれぞれ延伸凸部が突設され、また該両延伸凸部にはボルトによってレバーが枢接され、
上述の構造により、上記中管は第一端より上記外管の第二端の内部へと差し込まれ、この組み立ての関係によって、上記中管が上記外管の中で伸縮調節ができ、上記第一切断部分の第二リブと上記中管の嵌め込み溝との噛み合わせを利用して、第一切断部分が上記中管の外周に嵌められることで、上記第一切断部分が上記外管の第二端方向へと滑走され、それに上記第一切断部分の第一リブが上記外管の嵌め込み溝中に嵌められた後、さらに上記第一切断部分のスリーブが上記外管と接合され、また上記内管は第一端より上記中管の第二端の内部へと差し込まれ、この組み立ての関係によって、上記内管が上記中管の中で伸縮調節ができ、上記第二切断部分の第二リブと上記内管の嵌め込み溝との噛み合わせを利用して、第二切断部分が上記内管の外周に嵌められることで、上記第二切断部分が上記中管の第二端方向へと滑走され、それに上記第二切断部分の第一リブが上記中管の嵌め込み溝中に嵌められた後、さらに上記第二切断部分のスリーブが上記中管と接合され、そして上記第一切断部分と第二切断部分のレバーを捻り回すことで、上記第一切断部分を連動して上記第二切断部分の両延伸凸部を近付かせ、上記第一切断部分と上記第二切断部分の束ねリングはそれぞれ上記中管と上記内管に対して緊束効果を奏することを特徴とする園芸用伸縮竿。
【請求項２】
上記外管、中管と内管の嵌め込み溝は順番に増大されることを特徴とする請求項１の園芸用伸縮竿。
【請求項３】
上記外管の第一端にはシールキャップが接合されることを特徴とする請求項１の園芸用伸縮竿。
【請求項４】
上記外管の外周には多数の滑り止めストライプが広がっていることを特徴とする請求項１の園芸用伸縮竿。
【請求項５】
上記内管の第二端には接続竿によって園芸用品と接続されることを特徴とする請求項１の園芸用伸縮竿。
【請求項６】
上記園芸用品は制御ワイヤに制御されて開閉できる鋏であることを特徴とする請求項５の園芸用伸縮竿。
【請求項７】
上記第一切断部分の両延伸凸部にはボルトによって偏心部を有するレバーが枢接されることを特徴とする請求項１の園芸用伸縮竿。
【請求項８】
上記第二切断部分の両延伸凸部にはボルトによって偏心部を有するレバーが枢接されることを特徴とする請求項１の園芸用伸縮竿。
【請求項９】
ボルトを上記第一切断部分の第一リブに通してから、上記外管の嵌め込み溝に締め付けることによって、上記第一切断部分のスリーブはスムーズに外管と接合できることを特徴とする請求項１の園芸用伸縮竿。
【請求項１０】
ボルトを上記第二切断部分の第一リブに通してから上記中管の嵌め込み溝に締め付けることによって、上記第二切断部分のスリーブはスムーズに中管と接合できることを特徴とする請求項１の園芸用伸縮竿。
【請求項１１】
上記中管は第一端に近い部分に内滑りスリーブと少なくとも一つの滑り誘導スリーブが順番に取り付けられ、上記第一切断部分のスリーブの内管部中の周りに止縁が突出していることを特徴とする請求項１の園芸用伸縮竿。
【請求項１２】
上記内管は第一端に近い部分に内滑りスリーブと少なくとも一つの滑り誘導スリーブが順番に取り付けられ、上記第二切断部分のスリーブの内管部中の周りに止縁が突出していることを特徴とする請求項１の園芸用伸縮竿。
【考案の詳細な説明】
【技術分野】
【０００１】
本考案は園芸用伸縮竿に関し、特に伸縮でき、また各管間で起きる相対回転を防止できる園芸用伸縮竿に関する。
【背景技術】
【０００２】
従来の園芸用品（図８に示されるように）の多くは延長竿があり、延長竿の一端に開閉動作できる鋏を組み合わせる。また該鋏は制御ワイヤによって延長竿に差し込んで、それを延長竿の反対端でレバーハンドルと連結される。使用時、レバーハンドルを押さえると制御ワイヤを経由して鋏に連動して開閉させることで、使用者が地面より高所の枝葉に対して剪定できる。
【０００３】
しかし、上述の従来構造が実際に応用する際は以下の問題が存在する。（一）延長竿本体は実際の使用需要に合わせて長さの伸縮調整ができないため、使用および携帯する際に不便であり、保管上もスペースを取る問題がある。（二）従来の延長竿とレバーハンドルの組立は延長竿がレバーハンドルで空転することを阻止できないため、延長竿が回転する際、誤って延長竿の中に差し込んでいる制御ワイヤを引っ張って、過度な引っ張りによって上記の制御ワイヤが正常に動作できなくなる。
【０００４】
従って、上述の従来園芸用品に存在する欠点について開発改良することは実に関係業界が力を注いでいる研究開発の目標であり、本考案者はこれを正すべく、創作の意思が湧き、長年の経験により設計し、また多方面に検討して試作品を作成して試しながら、多数回にわたった修正改良の結果、本考案を得た。
【考案の概要】
【考案が解決しようとする課題】
【０００５】
本考案が解決しようとする課題は従来の園芸用品の延長竿が伸縮調節できず、また延長竿がレバーハンドルで空転することを制限できない問題を解決し、園芸用伸縮竿を提供する。
【課題を解決するための手段】
【０００６】
本考案の園芸用伸縮竿は、外側から内側へ順番に組み立てる外管、中管と内管を含み、上記外管と中管の間に第一切断部分が接合され、上記中管と内管の間に第二切断部分が接合される。該第一切断部分と第二切断部分の組み立てによって上記外管、中管と内管が常態下において、相対的な回転が生じないように制限される。上記外管、中管と内管の伸縮調整が完成された後、第一切断部分と第二切断部分の操作によって、上記中管と内管が緊束されて定位される。ここで、上記外管には第一端と第二端があり、外周には上記第一端より上記第二端に向かって延伸する少なくとも一つの嵌め込み溝が凹設される。上記中管には第一端と第二端があり、外周には上記第一端より上記第二端に向かって延伸する少なくとも一つの嵌め込み溝が凹設される。上記内管には第一端と第二端があり、外周には上記第一端より上記第二端に向かって延伸する少なくとも一つの嵌め込み溝が凹設される。上記第一切断部分には互いに連接するスリーブと束ねリングがあり、該スリーブの内管部と該束ねリングの内リング部が上記外管と中管の嵌め込み溝に対してそれぞれ少なくとも一つの第一リブと少なくとも一つの第二リブが設けられる。上記束ねリングの一側に切れ目が設けられ、該切れ目が形成した両端部の上にそれぞれ延伸凸部が突設され、また該両延伸凸部にはボルトによって偏心部を有するレバーが枢接される。上記第二切断部分には互いに連接するスリーブと束ねリングがあり、該スリーブの内管部と該束ねリングの内リング部が上記中管と内管の嵌め込み溝に対してそれぞれ少なくとも一つの第一リブと少なくとも一つの第二リブが設けられる。上記束ねリングの一側に切れ目が設けられ、該切れ目が形成した両端部の上にそれぞれ延伸凸部が突設され、また該両延伸凸部にはボルトによって偏心部を有するレバーが枢接される。これによって、園芸用伸縮竿が得られる。
【考案の効果】
【０００７】
（一）本考案は園芸用伸縮竿を提供し、園芸用品竿は実際の使用需要によって長さの伸縮調整ができるため、使用および携帯する際に便利であり、保管上もスペースを取らない。
【０００８】
（二）本考案は園芸用伸縮竿を提供し、上記第一切断部分の第二リブと上記中管の嵌め込み溝との噛み合わせを利用して、上記第二切断部分の第二リブと上記内管の嵌め込み溝との噛み合わせを利用することによって、上記中管と上記内管ともに固定され、各管間は相対的な回転が生じないため、上記園芸用品が制御ワイヤを使用する際に上記外管、中管と内管間での不適切な回転によって過度に引っ張られることを防げ、上記制御ワイヤが正常に動作することを確保できる。
【図面の簡単な説明】
【０００９】
【図１】図１は、本考案に係る園芸用伸縮竿を示す立体組立図である。
【図２】図２は、本考案に係る園芸用伸縮竿を示す立体分解図である。
【図３】図３は、本考案の中管の細部分解図である。
【図４】図４は、本考案に係る園芸用伸縮竿を示す組立断面図である。
【図５】図５は、本考案の図４のＡ−Ａ断面図である。
【図６】図６は、本考案に係る園芸用伸縮竿を示す違う角度からの組立断面図である。
【図７】図７は、本考案の中管が伸びた後の状態図である。
【図８】図８は、従来の構造図である。
【考案を実施するための形態】
【００１０】
まず、図１から図６に示されるように、外側から内側へ順番に組み立てる外管１０、中管２０と内管３０を含み、上記外管１０と中管２０の間に第一切断部分４０が接合され、上記中管２０と内管３０の間に第二切断部分５０が接合される。該第一切断部分４０と第二切断部分５０の組み立てによって上記外管１０、中管２０と内管３０が常態下において、相対的な回転が生じないように制限される。上記外管１０、中管２０と内管３０の伸縮調整が完成された後、第一切断部分４０と第二切断部分５０の操作によって、上記中管２０と内管３０が緊束されて定位される。ここで、上記外管１０には第一端１１と第二端１２があり、外周には上記第一端１１より上記第二端１２に向かって延伸する少なくとも一つの嵌め込み溝１３が凹設される。上記中管２０には第一端２１と第二端２２があり、外周には上記第一端２１より上記第二端２２に向かって延伸する少なくとも一つの嵌め込み溝２３が凹設される。上記内管３０には第一端３１と第二端３２があり、外周には上記第一端３１より上記第二端３２に向かって延伸する少なくとも一つの嵌め込み溝３３が凹設される。上記第一切断部分４０には互いに連接するスリーブ４１と束ねリング４２があり、該スリーブ４１の内管部と該束ねリング４２の内リング部が上記外管１０と中管２０の嵌め込み溝１３、２３に対してそれぞれ少なくとも一つの第一リブ４１１と少なくとも一つの第二リブ４２１が設けられる。上記束ねリング４２の一側に切れ目４２２が設けられ、該切れ目４２２が形成した両端部の上にそれぞれ延伸凸部４２３が突設され、また該両延伸凸部４２３にはボルト４３によって偏心部４４１を有するレバー４４が取り付けられる。上記第二切断部分５０には互いに連接するスリーブ５１と束ねリング５２があり、該スリーブ５１の内管部と該束ねリング５２の内リング部が上記中管２０と内管３０の嵌め込み溝２３、３３に対してそれぞれ少なくとも一つの第一リブ５１１と少なくとも一つの第二リブ５２１が設けられる。上記束ねリング５２の一側に切れ目５２２が設けられ、該切れ目５２２が形成した両端部の上にそれぞれ延伸凸部５２３が突設され、また該両延伸凸部５２３にはボルト５３によって偏心部５４１のレバー５４が取り付けられる。
【００１１】
構造の組み立てについては繰り返して図１を参照されたい。上記中管２０は第一端２１より上記外管１０の第二端１２の内部へと差し込まれる。この組み立ての関係によって、上記中管２０が上記外管１０の中で伸縮調節ができる。上記第一切断部分４０の第二リブ４２１と上記中管２０の嵌め込み溝２３との噛み合わせを利用して、上記第一切断部分４０が上記中管２０の外周に嵌められることで、上記第一切断部分４０が上記外管１０の第二端１２方向へと滑走される。それに上記第一切断部分４０の第一リブ４１１が上記外管１０の嵌め込み溝１３中に嵌めた後、さらに上記第一切断部分４０のスリーブ４１が上記外管１０と接合される。また上記内管３０は第一端３１より上記中管２０の第二端２２の内部へと差し込まれる。この組み立ての関係によって、上記内管３０が上記中管２０の中で伸縮調節ができる。上記第二切断部分５０の第二リブ５２１と上記内管３０の嵌め込み溝３３との噛み合わせを利用して、第二切断部分５０が上記内管３０の外周に嵌められることで、上記第二切断部分５０が上記中管２０の第二端２２方向へと滑走される。それに上記第二切断部分５０の第一リブ５１１が上記中管２０の嵌め込み溝２３中に嵌めた後、さらに上記第二切断部分５０のスリーブ５１が上記中管２０と接合される。そして上記第一切断部分４０と第二切断部分５０のレバー４４、５４を利用して捻り回すことができる。さらに上記第一切断部分４０の偏心部４４１はボルト４３を経由して上記第一切断部分４０の両延伸凸部４２３を連動して近付かせて、上記第二切断部分５０の偏心部５４１はボルト５３を経由して上記第二切断部分５０の両延伸凸部５２３を連動して近付かせる。これによって、上記第一切断部分４０と上記第二切断部分５０の束ねリング４２、５２はそれぞれ上記中管２０と上記内管３０に対して緊束効果を奏する。
【００１２】
本考案は園芸用伸縮竿を提供し、上記外管１０、中管２０と内管３０の嵌め込み溝１３、２３、３３の順番に大きい。
【００１３】
本考案は園芸用伸縮竿を提供し、上記外管１０の第一端１１にはシールキャップ６０が接合される。
【００１４】
本考案は園芸用伸縮竿を提供し、上記外管１０の外周には多数の滑り止めストライプ１４が広がっている。
【００１５】
本考案は園芸用伸縮竿を提供し、上記内管３０の第二端３２には接続竿７０によって園芸用品と接続され、また該園芸用品は制御ワイヤに制御されて開閉できる鋏である（図に未表示）。
【００１６】
本考案は園芸用伸縮竿を提供し、ボルトを上記第一切断部分４０の第一リブ４１１に通してから上記外管１０の嵌め込み溝１３に締め付けることで、上記第一切断部分４０のスリーブ４１はスムーズに外管１０と接合できる。
【００１７】
本考案は園芸用伸縮竿を提供し、ボルトを上記第二切断部分５０の第一リブ５１１に通してから上記中管２０の嵌め込み溝２３に締め付けることで、上記第二切断部分５０のスリーブ５１はスムーズに中管２０と接合できる。
【００１８】
本考案は園芸用伸縮竿を提供し、上記中管２０は第一端２１に近い部分に内滑りスリーブ８０と少なくとも一つの滑り誘導スリーブ８００が順番に取り付けられ、上記第一切断部分４０のスリーブ４１の内管部中の周りに止縁４１２が突出している。該内滑りスリーブ８０が止縁４１２と互いに制限し合うため、中管２０を引っ張り出される力が大きすぎることによって第一切断部分４０より抜け出すことが防げられる。上記滑り誘導スリーブ８００の取り付けに合わせて、上記中管２０と上記外管１０間の隙間が埋められ、上記中管２０が上記外管１０内部で揺れることを防止できる。
【００１９】
本考案は園芸用伸縮竿を提供し、上記内管３０は第一端３１に近い部分に内滑りスリーブ８０と少なくとも一つの滑り誘導スリーブ８００が順番に取り付けられ、上記第二切断部分５０のスリーブ５１の内管部中の周りに止縁５１２が突出している。該内滑りスリーブ８０が止縁５１２と互いに制限し合うため、内管３０を引っ張り出される力が大きすぎることによって第二切断部分５０より抜け出すことが防げられる。上記滑り誘導スリーブ８００の取り付けに合わせて、上記内管３０と上記中管２０間の隙間が埋められ、上記内管３０が上記中管２０内部で揺れることを防止できる。
【００２０】
実際に使用する際、レバー４４、５４を外に向けて引っ張ることで、上記中管２０が上記第一切断部分４０によって緊束されず、上記内管３０が上記第二切断部分５０によって緊束されない。上記中管２０と内管３０のどちらかまたは同時に引っ張り出して、実際に使用の需要によって長さの伸縮調節を行う（同時図７を参照されたい）。伸縮する際は無段式の調整もでき、伸縮調整後にレバー４４、５４を元に戻し、上記束ねリング４２、５２が新たに緊束されればいい。また上記第一切断部分４０の第二リブ４２１と上記中管２０の嵌め込み溝２３との噛み合わせを利用して、上記第二切断部分５０の第二リブ５２１と上記内管３０の嵌め込み溝３３の噛み合わせを利用することによって、上記中管２０と上記内管３０ともに固定され、各管間は相対的な回転が生じないため、上記園芸用品が制御ワイヤを使用する際に上記外管１０、中管２０と内管３０間での不適切な回転によって過度に引っ張られることを防げ、上記制御ワイヤが正常に動作することを確保できる。
【００２１】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２２】
１０        外管
１１        第一端
１２        第二端
１３        嵌め込み溝
１４        滑り止めストライプ
２０        中管
２１        第一端
２２        第二端
２３        嵌め込み溝
３０        内管
３１        第一端
３２        第二端
３３        嵌め込み溝
４０        第一切断部分
４１        スリーブ
４１１      第一リブ
４１２      止縁
４２        束ねリング
４２１      第二リブ
４２２      切れ目
４２３      延伸凸部
４３        ボルト
４４        レバー
４４１      偏心部
５０        第二切断部分
５１        スリーブ
５１１      第一リブ
５１２      止縁
５２        束ねリング
５２１      第二リブ
５２２      切れ目
５２３      延伸凸部
５３        ボルト
５４        レバー
５４１      偏心部
６０        シールキャップ
７０        接続竿
８０        内滑りスリーブ
８００      滑り誘導スリーブ
９０        園芸用品
９１        延長竿
９２        鋏
９３        制御ワイヤ
９４        レバーハンドル
【図１】
0003210052.tif 000003
【図２】
0003210052.tif 000004
【図３】
0003210052.tif 000005
【図４】
0003210052.tif 000006
【図５】
0003210052.tif 000007
【図６】
0003210052.tif 000008
【図７】
0003210052.tif 000009
【図８】
0003210052.tif 000010